(57)【要約】【課題】本発明は、エレベータの乗籠の内側となる天井に設置される照明装置であって、光源から発生した熱を内部に溜めない放熱構造を有したエレベータの乗籠の照明装置を提供する【解決手段】照明装置１０は、乗籠５の天井５１に配置される照明器具１１と、この照明器具１１から発生する熱を乗籠５の外部へ排出する放熱構造１２とを有する。照明器具１１は、天井５１より下方に取り付けられる発熱性の光源１１１と、この光源１１１の点灯を制御する基板１１２と、光源１１１および基板１１２を覆うケース１１３とを備える。放熱構造１２は、天井５１の上に沿って設置され両端部が乗籠５の側方に向かって昇降路２へ開口する通気路１２１と、光源１１１の近傍の天井５１に開口して通気路１２１の中へ連通する通気孔１２２とを備える。【選択図】      図２
2010058941.tif 000002
【特許請求の範囲】
【請求項１】
エレベータの乗籠の天井に配置される照明器具と、この照明器具から発生する熱を前記乗籠の外部へ排出する放熱構造とを有する照明装置であって、
前記照明器具は、天井より下方に取り付けられる発熱性の光源と、この光源の点灯を制御する基板と、前記光源および基板を覆うケースとを備え、
前記放熱構造は、前記天井の上に沿って設置され両端部が前記乗籠の側方に向かって昇降路へ開口する通気路と、前記光源の近傍の前記天井に開口して前記通気路の中へ連通する通気孔とを備える
ことを特徴とするエレベータの乗籠の照明装置。
【請求項２】
請求項１に記載のエレベータの乗籠の照明装置において、前記通気路は、前記天井の補強のために取り付けられる梁の中に設けられることを特徴とする。
【請求項３】
請求項１に記載のエレベータの乗籠の照明装置において、前記通気路は、一方の端部が他方の端部よりも高い位置に開口する勾配を有していることを特徴とする。
【請求項４】
請求項１に記載のエレベータの乗籠の照明装置において、前記通気路は、前記乗籠の側板の外形よりも外へその端部が張り出していることを特徴とする。
【請求項５】
請求項１に記載のエレベータの乗籠の照明装置において、前記通気路は、その端部に、前記乗籠の側方よりも下向きに排気を案内する傘状のフラップを有していることを特徴とする。
【請求項６】
請求項１に記載のエレベータの乗籠の照明装置において、前記通気路は、通気路が延びる方向に壁面が波打つ凹凸に形成されることを特徴とする。
【発明の詳細な説明】
【技術分野】
【０００１】
本発明は、エレベータの乗籠の天井に設置される光源の放熱構造を有した照明装置に関する。
【背景技術】
【０００２】
エレベータの乗籠の中は、密室になりやすく、満員状態になった場合の温度上昇や酸素欠乏を考慮して換気装置が設置されている。
【０００３】
特許文献１に記載されたエレベータの籠室の換気装置は、ファンと空気の流路を有している。ファンが稼動すると、風圧によって流路を循環路として籠室内の空気を循環させる。ファンが停止すると、流路は乗籠の外部に開放され、籠ドアなどの隙間から外気を取り入れ、自然対流によって外部へ熱を放出する。
【０００４】
特許文献２に記載されたエレベータの籠室照明装置は、照明装置が発生する熱によって冷房装置の冷却効率が低下することを防止するために、照明装置の熱源となる光源部分を乗籠の外に配置し、光ケーブルで光を籠室内に案内している。乗籠の外に配置した光源部分は、ダクトで覆っている。ダクト内部の熱は、ダクトの外側に取り付けた換気装置と放熱板で逃がしている。
【０００５】
また、耐用年数が長く軽量であり衝撃にも強いことから、ＬＥＤ（発光ダイオード）がエレベータの乗籠の天井に設置される照明装置の光源として適用されるケースが増えている。
【特許文献１】特開平３−１３８２８３号公報
【特許文献２】特開平９−２４０９６３号公報
【発明の開示】
【発明が解決しようとする課題】
【０００６】
しかし、ＬＥＤは発熱量が大きい。発生した熱が天井の照明ケース内部に溜まると、光源自体の寿命が短くなる傾向にある。エレベータの乗籠の屋根は、保守整備の際に作業員が乗ることがある。したがって、必要な強度を満たしかつごみを落下させない構造でなければならないから、闇雲に放熱用の孔を設けるわけには行かない。
【０００７】
特許文献１の換気装置は、乗籠の中の空気を換気するためのものであり、照明装置が発生する熱を排出する配慮がなされたものではない。照明装置のために換気装置を設けることは、乗籠そのものの重量が増すし、エネルギーの無駄であるので、避けたい。また、特許文献２の照明装置は、熱源となる光源を籠室の屋根に載せてしまうので、作業員の足場環境を悪くする。
【０００８】
そこで、本発明は、エレベータの乗籠の内側となる天井に設置される照明装置であって、特に光源から発生した熱が内部に溜まらない放熱構造を有したエレベータの乗籠照明装置を提供することを目的とする。
【課題を解決するための手段】
【０００９】
本発明に係るエレベータの乗籠の照明装置は、乗籠の天井に配置される照明器具と、この照明器具から発生する熱を乗籠の外部へ排出する放熱構造とを有する。照明器具は、天井より下方に取り付けられる発熱性の光源と、この光源の点灯を制御する基板と、光源および基板を覆うケースとを備える。放熱構造は、天井の上に沿って設置され両端部が乗籠の側方に向かって昇降路へ開口する通気路と、光源の近傍の天井に開口して通気路の中へ連通する通気孔とを備える。
【００１０】
この場合、通気路は、天井の補強のために取り付けられる梁の中に設ける。または、通気路は、一方の端部が他方の端部よりも高い位置に開口する勾配を有する。または、通気路の端部は、乗籠の側壁の外形よりも外へ張り出している。または、通気路は、その端部に、乗籠の側方よりも下向きに排気を案内する傘状のフラップを有している。または、通気路は、通気路が延びる方向に壁面が波打つ凹凸に形成する。
【００１１】
本明細書において、「天井」とは乗籠の上部内側を指し、「屋根」とは乗籠の上部外側を指し示すものとする。
【発明の効果】
【００１２】
本発明に係るエレベータの乗籠の照明装置は、乗籠の内側に配置されるので、保守整備の際に作業員が乗籠の屋根で作業することを妨げない。そして、内部に熱がこもらないので、光源あるいはその基板が熱のダメージを受けにくい。したがって、照明装置の光源が本来有している耐用年数を発揮することができる。
【００１３】
また、この照明装置は、効率よく放熱を促す構造を有しているのであって、照明装置の熱源となる光源を能動的に冷却するファンなど外部エネルギーが必要となるものを備えていない。つまり、熱源を冷却するために無駄なエネルギーを消費しないので、経済的である。
【発明を実施するための最良の形態】
【００１４】
本発明に係る第１の実施形態の照明装置１０は、図１および図２を参照して説明する。まず、図１に示すエレベータ１の基本構造を説明する。このエレベータ１は、昇降路２の上部に巻上機３を設置している。巻上機３に取り付けられたメインシーブ３Ａには、メインロープ４が巻き掛けられ、乗籠５と釣合錘６とが吊下げられている。乗籠５および釣合錘６は、巻上機３が駆動されると、昇降路２に敷設されたガイドレール７に沿って移動する。エレベータ１は、このほかに制御装置、非常停止装置、ガバナ８、コンペンロープ、コンペンシーブ、バッファ９などを備えている。
【００１５】
乗籠５は、図１に示すように、天井５１、床板５２、側板５３、籠ドア５４によって箱形状に組み立てられている。乗籠５は、籠枠５Ａの内側に固定されている。籠枠５Ａは、摺動可能にガイドレール７に嵌合している。本発明に係る照明装置１０は、乗籠５の天井５１の下側に配置される。
【００１６】
照明装置１０は、図２に示すように、乗籠５の天井５１に取り付けられる照明器具１１と、この照明器具１１から発生する熱を乗籠５の外部へ排出する放熱構造１２を有している。照明器具１１は、天井５１より下方に取り付けられる発熱性の光源１１１と、この光源１１１の点灯を制御する基板１１２と、光源１１１および基板１１２を覆うケース１１３を備える。本実施形態において、光源１１１は、ＬＥＤである。発熱性の光源１１１として、蛍光ランプや白熱球などであってもよい。
【００１７】
放熱構造１２は、天井５１の上、つまり屋根に沿って設置され両端部が乗籠５の側方に向かって昇降路２へ開口する通気路１２１と、光源１１１の近傍の天井５１に開口してケース１１３の内部を通気路１２１の中へ連通する通気孔１２２とを備える。この通気路１２１は、図１に示すように、平行に複数本取り付けられた梁５５の中を利用して設けられている。梁５５は、軽溝形鋼やハット形断面のビーム材の開口側を下に向けて屋根に取り付けたものである。したがって、昇降路２へ開かれた複数の通気路１２１の開口部１２３は、ルーバー状になっている。
【００１８】
光源１１１や基板１１２から放出された熱は、自然対流によって生じる気流によって、ケース１１３の中にこもることなく通気孔１２２から通気路１２１を通りへ、側方へ開く開口部１２３から昇降路２へ排出される。通気路１２１は、もともと作業員が乗れるように造られる天井５１の補強として設けられている梁５５の中に造られるので、作業員の足場の妨げにならない。また、ファンなどの別途動力を要するものが無いので、照明装置１０の放熱のために、余分なエネルギーを消費しない。
【００１９】
以下に他の実施形態を記す。他の実施形態において第１の実施形態と同じ機能を有する構成は、同一の符号を付してその説明を省略する。また、エレベータ１全体の構成や乗籠５の詳細な説明は、第１の実施形態および図１を参照するものとする。
【００２０】
本発明に係る第２の実施形態の照明装置１０は、図３に示すように、蛍光管を光源１１１として用いる間接照明である。ケース１１３は、外周部および中央部分で乗籠５の内部に対して開放された構造である。この場合も、光源１１１から発生した熱は、通気孔１２２から通気路１２１を通って、昇降路２へ排出される。
【００２１】
本発明に係る第３の実施形態の照明装置１０は、図４に示すように、第１の実施形態の照明装置１０と同様にＬＥＤを光源１１１として備える。この実施形態の照明装置１０の梁５５は一方の端が他方の端より高くなっている。したがって、梁５５の内部に設けられる通気路１２１は、一方の端部が他方の端部よりも高い位置に開口するなだらかな勾配を有することとなる。
【００２２】
これにより、通気孔１２２から通気路１２１に入った熱気は、自然対流により高い側に向かって一方向へ流れる。また、低い側から昇降路２内の空気が流入する。したがって、天井５１に昇降路２の空気が自然対流によって触れるようになるので、放熱効率がよくなる。
【００２３】
本発明に係る第４の実施形態の照明装置１０は、図５に示すように、梁５５が側板５３を超えて突出しており、その結果、通気路１２１の開口部１２３は、乗籠５の側板５３の外形よりも外へ張り出し、側方および下方に向かって開口するようになる。開口部１２３が乗籠５よりも外側に突出していることにより、エレベータ１の乗籠５の走行中に風圧を受けるなどする結果、通気路１２１の空気が流れやすくなる。したがって、照明装置１０の廃熱効率が向上する。その他の点は第１の実施形態の照明装置１０と同様である。
【００２４】
本発明に係る第５の実施形態の照明装置１０は、図６に示すように、梁５５の端部にフラップ５５１を備えている。このフラップ５５１は、梁５５の上壁が開口部１２３に傘状に被さる形状である。したがって、フラップ５５１は、乗籠５の側方よりも下向きに排気を案内する。このような形状を有していることにより、乗籠５が走行する際にさらに通気路１２１内の空気の流れが促進され、排熱効果も向上する。
【００２５】
本発明に係る第６の実施形態の照明装置１０は、図７に示すように、梁５５の形状が第１の実施形態の照明装置１０と異なっている。この実施形態の梁５５は、梁５５の延びる方向に沿う断面を見た場合に上部壁に複数の凹凸５５２を有している。つまり、通気路１２１は、通気路１２１が延びる方向に壁面が波打つ凹凸に形成されている。通気路１２１に凹凸が設けられることによって、ケース１１３内で熱せられた空気が凹凸内部で攪拌される。熱せられた空気の熱は、熱伝達によって梁５５の凹凸５５２に伝わり、さらに、凹凸５５２の外表面から熱伝達で昇降路２側に放熱されることとなる。
【００２６】
したがって、梁５５の材質に空気に対する熱伝達率および材質そのものの熱伝導率の高い材料を適用することにより、照明装置１０の放熱効率を向上させることができる。また、梁５５が凹凸を有していることによって、天井５１の強度が増す。
【００２７】
以上のように各実施形態の照明装置１０によれば、ケース１１３内で発生する光源１１１の熱は、通気孔１２２および通気路１２１を通して昇降路２へ排出される。したがって、自ら発生する熱によって、光源１１１およびその基板１１２の耐用年数が短くなることを防止できる。また、通気孔１２２は、通気路１２１を形成する梁５５によって覆われているため、作業員が乗籠５の上で作業をしてもごみがケース内に落ちることは無い。さらに、本発明の照明装置１０によれば、通気路１２１は天井５１を補強する梁５５の内部に形成され、余分なエネルギーを消費するファンなどの装置を設けない。構成が簡素であり、安価に装備することができる。
【００２８】
そして、本発明に係るエレベータの乗籠の照明装置は、発熱量の多い光源を用いる場合に適用されることで、光源およびその基板の寿命が短くなるのを防止し、耐用年数を満足させることができる。
【産業上の利用可能性】
【００２９】
本発明の照明装置は、エレベータの乗籠の天井に取り付けられる照明装置として適用される。
【図面の簡単な説明】
【００３０】
【図１】本発明に係る第１の実施形態の照明装置を乗籠に有するエレベータを示す斜視図。
【図２】図１に記載した乗籠の天井部の断面図。
【図３】本発明に係る第２の実施形態の照明装置を備える乗籠の天井部の断面図。
【図４】本発明に係る第３の実施形態の照明装置を備える乗籠の天井部の断面図。
【図５】本発明に係る第４の実施形態の照明装置を備える乗籠の天井部の断面図。
【図６】本発明に係る第５の実施形態の照明装置を備える乗籠の天井部の断面図。
【図７】本発明に係る第６の実施形態の照明装置を備える乗籠の天井部の断面図。
【符号の説明】
【００３１】
１…エレベータ、２…昇降路、５…乗籠、１０…照明装置、１１…照明器具、１２…放熱構造、５１…天井、５３…側板、１１１…光源、１１２…基板、１１３…ケース、１２１…通気路、１２２…通気孔、５５１…フラップ、５５２…凹凸。
【図１】
2010058941.tif 000003
【図２】
2010058941.tif 000004
【図３】
2010058941.tif 000005
【図４】
2010058941.tif 000006
【図５】
2010058941.tif 000007
【図６】
2010058941.tif 000008
【図７】
2010058941.tif 000009